(57)【特許請求の範囲】
【請求項１】
内容物を収容した容器本体の先端に吐出ノズル部材を備え、該吐出ノズル部材を足踏みして内容物を足の裏に吐出するエアゾール容器であって、
前記吐出ノズル部材に設けられたノズル開口を囲む位置に突起を設け、該突起によって、前記吐出ノズル部材を足踏みした際の足の裏面と前記ノズル開口との間隔を保持し、
前記吐出ノズル部材は、放射方向に延長する横方向流通路を内部に形成するためにノズル上部体とノズル下部体とを一体化して構成される、多数のノズル開口を備えた多穴吐出ノズル部材であり、前記突起は、該多数のノズル開口を囲んで設けられ、
且つ前記多穴吐出ノズル部材の内部に形成した塗布液通路は、前記ノズル下部体の上面に設けられた放射溝によって形成され、前記多穴吐出ノズル部材の中央から放射方向に延長する横方向流通路と、前記ノズル上部体を貫通してこれの中央及び周縁部分に形成され、ノズル開口に各々接続する縦方向流通路とからなり、前記放射溝は、その先端が前記周縁部分に形成された縦方向流通路と各々連通するエアゾール容器。
【請求項２】
前記吐出ノズル部材は、消音手段を備える請求項１記載のエアゾール容器。
【請求項３】
前記消音手段は、前記ノズル開口を囲む突起として設けられた環状壁であり、該環状壁の上端は、足の裏面で覆いうる大きさの開口となっている請求項２記載のエアゾール容器。
【請求項４】
前記吐出ノズル部材は、ノズル上部体の下面側に形成された係合凹部の内面にＯリングを介在させてノズル下部体を嵌め込むことにより、該ノズル下部体を前記ノズル上部体に密閉状態で装着固定してなり、
前記ノズル上部体と前記ノズル下部体とを密閉状態とするシール構造は、前記係合凹部おけるＯリングの当接面を外側又は内側に向けてテーパー状に傾斜する凹部環状傾斜面とすると共に、前記ノズル下部体におけるＯリングの当接面を内側又は外側に向けてテーパー状に傾斜して前記凹部環状傾斜面と対向配置される下部体環状傾斜面とし、前記凹部環状傾斜面と前記下部体環状傾斜面との間に前記Ｏリングを圧縮しつつ挟み込むことにより構成される請求項１〜３のいずれかに記載のエアゾール容器。
【請求項５】
内容物を収容した請求項１〜４のいずれかに記載のエアゾール容器の先端に設けられた吐出ノズル部材を足踏みして内容物を足の裏に吐出し、該内容物による足の手入れを行うエアゾール容器の使用方法。
【発明の詳細な説明】
【０００１】
【発明の属する技術分野】
本発明は、内容物を収容した容器本体の先端に吐出ノズル部材を備え、該吐出ノズル部材を足踏みして内容物を足の裏に吐出するエアゾール容器に関する。
【０００２】
【従来の技術及び発明が解決しようとする課題】
足の裏面や指の間に殺菌剤や清涼剤等の薬物等をエアゾール容器を用いて塗布する場合には、腰をかがめたり椅子や床面に座ったりして、エアゾール容器を手に持って直接に、又はエアゾール容器から内容物を手に採取しその内容物を塗布していた。
【０００３】
また、従来のエアゾール容器は、内容液を塗布する際の噴射音が耳障りであると共に、噴射音が高いため、使用していることが認識され易かった。
【０００４】
さらに、エアゾール容器は、内部に塗布液（内溶液）を気密に収容した容器本体の先端部にステムを備え、このステムに取り付けたノズル部材を弾性力に抗して押圧することにより、ノズル部材から塗布液を吐出させる。エアゾール容器の未使用時に、ノズル部材を誤って押圧して塗布液を不用意に吐出させてしまうのを防止するために、例えば実開昭５５−２４２８号公報には、未使用時にノズル部材が押圧されないようにノズル部材を回動してロックしておくものが記載されている。このロック機構によれば、エアゾール容器の使用時には、ノズル部材を開放側に回動して押圧することにより、塗布液を吐出することが可能であるが、ノズル部材の押圧を開放しても自動的にはロック状態に復元せず、手などで回転させてロック状態に戻すことを必要とすることから、かかる作業を忘れがちになり、誤作動によって塗布液を不用意に吐出させてしまう場合がある。
【０００５】
さらにまた、本願出願人の出願に係る特願平１１−１４００９４号に記載されたエアゾール容器のノズル部材は、ノズル上部体の下面側に形成された係合凹部にノズル下部体を嵌め込むことにより、ノズル上部体とノズル下部体とが一体となった多穴吐出ノズル部材を構成するものであるが、ノズル上部体とノズル下部体との間に介在する塗布液通路の気密性を保持するために、Ｏリングを介してこれらを密閉状態で係合することが望ましい。しかしながら、前記ノズル部材のような、ノズル上部体の係合凹部にノズル下部体を嵌め込んで装着固定する際のＯリングを介したシール構造によれば、嵌め込んだ後に嵌め込み方向である装着方向に遊びが生じやすく、Ｏリングに十分な圧縮力を負荷することができなくなって、シール性が損なわれるおそれがある。
【０００６】
本発明は、上記の面倒な動作を必要とすることなく、薬物等の内容物を足の裏面や指の間に容易に塗布することのできるエアゾール容器及びその使用方法を提供することを目的とする。
【０００７】
また、本発明は、内容液を塗布する際の噴射音を、耳障りにならず且つ使用していることが認識されない程度まで容易に低減することのできるエアゾ−ル容器を提供することを目的とする。
【０００８】
さらに、本発明は、ノズル部材の押圧を開放した際にノズル部材をロック状態に自動的に復元して誤作動を容易に防止することのできるエアゾール容器を提供することを目的とする。
【０００９】
さらにまた、本発明は、シール性が確実に保持されてノズル上部体とノズル下部体とが一体化された吐出ノズル部材を備えるエアゾール容器を提供することを目的とする。
【００１０】
【課題を解決するための手段】
本発明は、内容物を収容した容器本体の先端に吐出ノズル部材を備え、該吐出ノズル部材を足踏みして内容物を足の裏に吐出するエアゾール容器であって、前記吐出ノズル部材に設けられたノズル開口を囲む位置に突起を設け、該突起によって、前記吐出ノズル部材を足踏みした際の足の裏面と前記ノズル開口との間隔を保持し、前記吐出ノズル部材は、放射方向に延長する横方向流通路を内部に形成するためにノズル上部体とノズル下部体とを一体化して構成される、多数のノズル開口を備えた多穴吐出ノズル部材であり、前記突起は、該多数のノズル開口を囲んで設けられ、且つ前記多穴吐出ノズル部材の内部に形成した塗布液通路は、前記ノズル下部体の上面に設けられた放射溝によって形成され、前記多穴吐出ノズル部材の中央から放射方向に延長する横方向流通路と、前記ノズル上部体を貫通してこれの中央及び周縁部分に形成され、ノズル開口に各々接続する縦方向流通路とからなり、前記放射溝は、その先端が前記周縁部分に形成された縦方向流通路と各々連通するエアゾール容器を提供することにより、上記目的を達成したものである。
【００１２】
また、本発明は、前記吐出ノズル部材が消音手段を備えているエアゾール容器を提供することにより、上記目的を達成したものである。
【００１３】
ここで、前記消音手段は、前記ノズル開口を囲む突起として設けられた環状壁によって構成され、該環状壁の上端は、足の裏面で覆いうる大きさの開口となっていることが好ましい。
【００１５】
さらにまた、本発明は、前記吐出ノズル部材は、ノズル上部体の下面側に形成された係合凹部の内面にＯリングを介在させてノズル下部体を嵌め込むことにより、該ノズル下部体を前記ノズル上部体に密閉状態で装着固定してなり、前記ノズル上部体と前記ノズル下部体とを密閉状態とするシール構造は、前記係合凹部おけるＯリングの当接面を外側又は内側に向けてテーパー状に傾斜する凹部環状傾斜面とすると共に、前記ノズル下部体におけるＯリングの当接面を内側又は外側に向けてテーパー状に傾斜して前記凹部環状傾斜面と対向配置される下部体環状傾斜面とし、前記凹部環状傾斜面と前記下部体環状傾斜面との間に前記Ｏリングを圧縮しつつ挟み込むことにより構成されるエアゾール容器を提供することにより、上記目的を達成したものである。
【００１６】
そして、本発明は、内容物を収容した上記いずれかのエアゾール容器の先端に設けられた吐出ノズル部材を足踏みして内容物を足の裏に吐出し、該内容物による足の手入れを行うエアゾール容器の使用方法を提供することにより、上記目的を達成したものである。
【００１７】
【発明の実施の形態】
以下本発明をその好ましい実施形態について説明する。図１及び図２に示す本実施形態に係るエアゾール容器１０は、例えば職場における机の下等に設置され、足で踏み込むことにより多穴吐出ノズル部材１１を押圧して、多穴吐出ノズル部材１１の上面に開口するノズル開口１４から清涼剤、殺菌剤、香料等の塗布液を足の裏面に噴射し塗布するために使用される足踏み式の吐出容器である。このエアゾール容器１０は、容器本体１２と、この容器本体１２の上方に突出する多穴吐出ノズル部材１１とからなる。
【００１８】
内部に塗布液（内容液）を気密に収容した容器本体１２の先端部には、ステム１３が、容器本体１２の内部に装着したバルブに内設されたスプリングの弾性によって、上方に付勢された状態で突出している。このステム１３の先端を覆って円盤形状の多穴吐出ノズル部材１１が取り付けられ、この多穴吐出ノズル部材１１を下方に向かってステム１３の軸方向に押圧することにより、ステム１３を介して容器本体１２の内部と連通するノズル開口１４から上方に向かって塗布液を吐出させ、足の裏面に塗布する。
【００１９】
容器本体１２は、合成樹脂や金属等からなる円形断面の中空容器であって、その底面の直径が約９ｃｍ、高さが約８ｃｍ程度の大きさ、形状を有していることにより低い重心を備え、エアゾール容器１０の多穴吐出ノズル部材１１を足で押圧しても転倒しないような安定した状態で床面に載置される。
【００２０】
多穴吐出ノズル部材１１は、合成樹脂からなり、円盤形状を備える。多穴吐出ノズル部材１１の下面中央部分には、円柱形状のステム嵌合突起１５が下方に突出していて、このステム嵌合突起１５の嵌合穴１６にステム１３の上端部分を嵌め込むことにより、ステム１３は、ステム嵌合突起１５の中央の貫通孔８１を介して、多穴吐出ノズル部材１１の内部に形成した塗布液通路２０と連通する。塗布液通路２０は、多穴吐出ノズル部材１１の中央から放射方向に延長する横方向流通路２０ａと、ノズル上部体１７を貫通してこれの中央及び周縁部分に６箇所形成された縦方向流通路２０ｂとからなり、各縦方向流通路２０ｂは、多穴吐出ノズル部材１１の表面の中央、及びこれの周縁部分に６箇所設けられたノズル開口１４に各々接続する。
【００２１】
多穴吐出ノズル部材１１は、放射方向に延長する横方向流通路２０ａを当該多穴吐出ノズル部材１１の内部に形成するために、図３に示すように、ノズル上部体１７とノズル下部体１８とをＯリング２６を介在させて一体化して構成される。すなわち、ノズル下部体１８の上面の平坦な中央円形突部２１には、これの直径方向に延長する３本の直線状の溝が中心点で交差して形成されることにより、放射方向６方向に放射溝２２を設ける。したがって、中央円形突部２１の上面をノズル上部体１７の下面に密着させながら、ノズル下部体１８をノズル上部体１７の下面側に形成した係合凹部２３に装着固定すれば、放射溝２２とノズル上部体１７の下面とによって画成されて横方向流通路２０ａが形成されると共に、各放射溝２２は、図２に示すように、その先端がノズル上部体１７の周縁部分に形成された６箇所の縦方向流通路２０ｂに各々連通する。
【００２２】
本実施形態によれば、ノズル上部体１７の下面側に形成された係合凹部２３にＯリング２６を介在させてノズル下部体１８を密閉状態で装着固定して、横方向流通路２０ａを介した各ノズル開口１４への塗布液のスムースな供給を可能にするべく、シール構造２４が採用されている。
【００２３】
シール構造２４は、図２に示すように、ノズル上部体１７の係合凹部２３内におけるＯリング２６の当接面を、外側に向けてテーパー状に傾斜する凹部環状傾斜面２７とすると共に、ノズル下部体１８におけるＯリング２６の当接面を、内側に向けてテーパー状に傾斜して凹部環状傾斜面２７と対向配置される下部体環状傾斜面２８とし、凹部環状傾斜面２７と下部体環状傾斜面２８との間にＯリング２６を圧縮しつつ挟み込むことにより構成される。
【００２４】
Ｏリング２６は、例えばシリコン、ＮＢＲ（ニトリルブダジエンラバー）等の弾性を有する材料からなり、円形断面を有する円環状の部材であって、凹部環状傾斜面２７あるいは下部体環状傾斜面２８に沿って配設され得る大きさを備える。
【００２５】
凹部環状傾斜面２７は、ノズル上部体１７の下面側に係合凹部２３を形成するスカート壁２９との間に間隔をおいて該スカート壁２９の内側に沿って設けられた下面環状突起３０の外側傾斜面として、ノズル上部体１７の下面に対して４５゜の角度で傾斜して形成される。なお下面環状突起３０の内側には、上記ノズル下部体１８の中央円形突部２１が密着配置される円形凹部が形成される。
【００２６】
下部体環状傾斜面２８は、ノズル下部体１８の上面において、中央円形突部２３との間に間隔をおいてノズル下部体１８の周縁部に沿って設けられた上面環状突起３１の内側傾斜面として、ノズル下部体１８の上面に対して４５゜の角度で傾斜して形成される。
【００２７】
そして、シール構造２４は、ノズル上部体１７の係合凹部２３にＯリング２６を介在させてノズル下部体１８を嵌め込むことにより、これらが一体となった多穴吐出ノズル部材１１を形成する際に設けられる。
【００２８】
ここで、ノズル上部体１７のスカート壁２９の内壁面には、ノズル上部体１７の下面から所定の間隔（ノズル下部体１８を、中央円形突部２１をノズル上部体１７の円形凹部に密着させた状態で係合凹部２３に装着し得る間隔）をおいて、ノズル下部体１８の下面周縁部を係止する係止突起２５が、周方向に例えば４箇所突出配置されている。従って、Ｏリング２６を凹部環状傾斜面２７と下部体環状傾斜面２８との間に介在させつつ、ノズル下部体１８を係合凹部２３に嵌合してその下面周縁部を係止突起２５に係止すれば、ノズル下部体１８がノズル上部体１７に装着固定されて強固に一体化された多穴吐出ノズル部材１１が得られることになる。
【００２９】
また、Ｏリング２６の円形断面の直径は、対向配置される凹部環状傾斜面２７と下部体環状傾斜面２８との間の間隔よりも大きくなっていて、ノズル下部体１８をノズル上部体１７に装着固定した状態ではＯリング２６は圧縮されてこれらの間に挟み込まれることにより、強固に密着してシール性を効果的に発揮することになる。
【００３０】
このシール構造２４によれば、Ｏリング２６は、傾斜面である凹部環状傾斜面２７と下部体環状傾斜面２８との間に挟まれて、装着方向である縦方向のみならず横方向にも圧縮力が負荷されることになる。従って、係止突起２５によるノズル下部体１８の装着方向の係止が弛んで遊びが生じ、縦方向に十分な圧縮力を負荷することができなくなっても、ノズル下部体１８の周囲を囲むスカート壁２９により支持されて、横方向への圧縮力は維持されるので、強固なシール性を保持することが可能になる。
【００３１】
即ち、本実施形態によれば、前記シール構造２４を備えていることにより、Ｏリング２６を介して係合凹部２３にノズル下部体１８を装着固定する際のシール性を確実に保持することができる。従って本実施形態のエアゾール容器１０によれば、シール性が確実に保持されてノズル上部体１７とノズル下部体１８とが一体化された多穴吐出ノズル部材１１を備えることができる。
【００３２】
また、本実施形態によれば、多穴吐出ノズル部材１１は、上面の直径が約５ｃｍで、高さ約１．５ｃｍの円盤形状を備える。多穴吐出ノズル部材１１の上面には、図３にも示すように、中心部分に１箇所、円周方向に沿って６箇所、合計７箇所の口径０．３ｍｍのノズル開口１４が噴出口として開口する。７箇所のノズル開口１４が、多穴吐出ノズル部材１１の上面に略均等に分散配置されていることにより、内溶液である塗布液を多穴吐出ノズル部材１１の上面全域にわたって略均等に噴霧（噴射）することができる。
【００３３】
多穴吐出ノズル部材１１の上面周縁部分には、円環状の突起である環状壁３２が、５ｍｍ程度の高さで、７箇所の噴射口１３を一体として囲むようにして突出形成されている。
【００３４】
机の下に設置されたエアゾ−ル容器１０の多穴吐出ノズル部材１１を、足の裏面における内容液を塗布したい部分によって、環状壁３２を上方から覆うようにしつつ足で踏み付けて押圧し、内容液をノズル開口１４から噴射させて足の裏面に塗布する。ここで、環状壁３２は、多穴吐出ノズル部材１１の上面周縁部分に沿って直径が約４ｃｍで配置され、その設置領域が足の裏面により十分に覆われる程度の広さなので、かかる押圧動作中に環状壁３２の内側は密封され、ノズル開口１４からの噴射音を漏れにくくして消音効果を発揮する。又、多数のノズル開口１４を一体として囲む突起である環状壁３２の高さによって、足の裏面とノズル開口１４との間隔、すなわち噴霧距離が確保される。
【００３５】
環状壁３２を消音壁として配設した本実施形態のエアゾール容器１０と消音壁を取り除いたエアゾール容器の噴霧時の音圧レベルを、噴射剤の圧力を同一にして比較測定した結果、消音壁を備えていないエアゾール容器の場合は６８ｄＢ（電車の車内の音）であるのに対し、消音壁を備えたエアゾール容器１０は５７ｄＢ（距離１ｍでの普通の会話の音）となり、明らかな消音効果が認められた。尚、本測定は、サウンドレベルメータ  ＮＡ−０９（リオン（株）製）により、ノズル部から０．１ｍ離れたところで、周辺音５０ｄｂの環境で計測した。
【００３６】
さらに、本実施形態によれば、多穴吐出ノズル部材１１には、図４（ａ）及び（ｂ）にも示すように、ステム嵌合突起１５の外周部分に一端を接合係止して、一対の合成樹脂製の板バネ５１が回転付勢手段として各々反対方向に延長して取り付けられている。なお、板バネ５１の他端部は、後述する袴部材６０の円形壁６１に形成された切り込み６２に各々挟み込まれるようにして係止される。
【００３７】
さらにまた、本実施形態によれば、多穴吐出ノズル部材１１には、その下面周縁部に沿って設けられた上記円環状のスカート壁２９の下端面に、これを周方向に４分割する４箇所に、幅３ｍｍ程度のストッパー突起（突起部）５３が下方に突出して設けられている。なお、ストッパー突起５３は、後述する袴部材６０の円形溝６３に４箇所形成された２段切り欠き溝６４に各々挿入配置される。
【００３８】
そして、本実施形態のエアゾール容器１０によれば、容器本体１２の上端部外周面を覆うようにして、円形壁６１と該円形壁６１の外側の円形溝６３とを、ステム１３と同心状に設けるための袴部材６０が、ステム１３を囲んで容器本体１２の周面に嵌合装着されている。
【００３９】
袴部材６０は、図２，図５（ａ），及び図５（ｂ）に示すように、中央にステム１３の挿通開口３５を備える平面形状が円形状で断面形状が等脚台形状の環状部材である。そして、末広がりに広がる下半スカート部３６の斜め内側に切り込まれた下端面３７を、容器本体１２の上端部周面の斜めに湾曲する肩部３８に載置することにより、ステム１３を挿通開口３５の中心に配置しつつ、袴部材６０がステム１３と同心状に装着されることになる。
【００４０】
また、袴部材６０の上半部分には、挿通開口３５の外側に沿って円形壁６１が立設し、円形壁６１の外側には、当該円形壁６１との間に間隔をおいて外周壁４１が立設していることにより、円形溝６３が形成される。円形壁６１には、一対の切り込み６２が直径方向に対向する位置に形成され、ステム１３に多穴吐出ノズル部材１１を取り付けた際に、上記板バネ５１の他端部が、この切り込み６２に挟み込まれるようにして挿入係止される。円形溝６３には、これを周方向に４分割する位置に各々形成された４箇所の２段切り欠き溝６４が回転制限部として設けられていて、ステム１３に多穴吐出ノズル部材１１を取り付けた際に、上記ストッパー突起５３がこの２段切り欠き溝６４に各々挿入配置される。
【００４１】
２段切り欠き溝６４は、上記ストッパー突起５３の幅よりも長い１０ｍｍ程度の長さで形成されていることにより、ストッパー突起５３が２段切り欠き溝６４の内部で周方向にスライド移動することができ、このスライド移動が可能な範囲を所定の遊び角度範囲として、多穴吐出ノズル部材１１は周方向に回転することができるようになっている。また、ストッパー突起５３の側面は２段切り欠き溝６４の側面を回転防止壁として当接することにより周方向へのスライドが制限され、これによって多穴吐出ノズル部材１１の回転可能な遊び角度範囲が制限されることになる。
【００４２】
また、２段切り欠き溝６４は、周方向中央の略１／３の部分を占める、深さの浅い上段部３９と、上段部３９の両側の下段部４０とに分割された２段構造である。ストッパー突起５３が上段部３９の上方に位置する場合には、多穴吐出ノズル部材１１を押圧してもストッパー突起５３の先端面がすぐに上段部３９に当接して、塗布液を吐出するまで多穴吐出ノズル部材１１を押し下げることができず、吐出不可となる。一方、ストッパー突起５３が下段部４０の上方に位置する場合には、多穴吐出ノズル部材１１を押圧する際に、ストッパー突起５３の先端面が下段部４０の底面に当接するまでスムースに押し下げられることを可能にして、塗布液を容易に吐出させることができる。すなわち、回転制限部としての２段切り欠き溝６４における上段部３９は、ストッパー突起５３の先端を当接させて多穴吐出ノズル部材１１の押圧を規制する押圧制限部を構成し、下段部４０は押圧開放部を構成することになる。
【００４３】
ストッパー突起５３と板バネ５１は、各板バネ５１の他端を袴部材６０の切り込み６２に各々係止した際に、各ストッパー突起５３が各２段切り欠き溝６４の上段部３９の上方に配置されるような位置関係で多穴吐出ノズル部材１１に設けられている。従って各ストッパー突起５３を下段部４０の上方に配置するには、多穴吐出ノズル部材１１を板バネ５１の付勢力に抗して回転させる必要がある。
【００４４】
なお、袴部材６０の外周壁４１の外側には、キャップ装着用の台座４２が設けられ、外周壁４１の外側にキャップ４３を嵌め込みつつこれの下端面を台座４２に当接させて、多穴吐出ノズル部材１１を覆ってキャップ４３を着脱可能に装着する（図１，図２参照）。
【００４５】
本実施形態のエアゾール容器１０によれば、容器本体１２の上端部外周面を覆うようにして袴部材６０を設け、しかる後にステム嵌合突起１５の嵌合穴１６にステム１３の上端部分を嵌め込みながら多穴吐出ノズル部材１１をステム１３の先端を覆って取り付けて、容器本体１２、袴部材６０、及び多穴吐出ノズル部材１１を一体化する。この状態では、各板バネ５１の他端は袴部材６０の切り込み６２に各々挿入係止され、各ストッパー突起５３は、２段切り欠き溝６４の上段部３９の上方に位置する。したがって、多穴吐出ノズル部材１１を押圧しても、多穴吐出ノズル部材１１は十分に押し下げられず、塗布液はノズル開口１４から吐出されない。
【００４６】
本実施形態のエアゾール容器１０によって、足の裏面に塗布液を塗布して足の手入れを行うには、多穴吐出ノズル部材１１の上面に足を載置し、左右何れか一方にひねれば、ストッパー突起５３の側面が２段切り欠き溝６４の側面に当接するまで多穴吐出ノズル部材１１は板バネ５１の付勢力に抗して回転し、ストッパー突起５３は２段切り欠き溝６４の下段部４０の上方に移動する。この状態から足を踏み込んで多穴吐出ノズル部材１１を押圧すれば、ストッパー突起５３が下段部４０に挿入されてゆくことにより多穴吐出ノズル部材１１は十分に押し下げられ、塗布液はノズル開口１４を経て噴霧ノズル１９から足の裏面に直接塗布される。
【００４７】
塗布液を塗布したら、多穴吐出ノズル部材１１に載置した足を離して押圧を開放すれば、ステム１３を突出させるバルブに内設されたスプリングの弾性によって、多穴吐出ノズル部材１１は押し上げられると共に、板バネ５１の付勢力によって多穴吐出ノズル部材１１は逆方向に回転して、足を載置する前の、ストッパー突起５３が２段切り欠き溝６４の上段部３９の上方に位置して押し下げが制限される状態に自動的に復元する。したがって、塗布液を噴霧ノズル１９から吐出するには、再度多穴吐出ノズル部材１１を回転させることが必要になる。
【００４８】
すなわち、本実施形態のエアゾール容器１０によれば、多穴吐出ノズル部材１１の押圧を開放した際に、多穴吐出ノズル部材１１を押圧することのできないロック状態に自動的に復元して、誤作動を容易に防止することが可能になる。
【００４９】
そして、本実施形態のエアゾール容器１０によれば、机の下等に設置されたエアゾール容器１０の多穴吐出ノズル部材１１を足の裏で踏み付けるようにして押圧すれば、ノズル開口１４から足の裏に向かって塗布液が噴射吐出され、吐出された塗布液が足の裏に直接かつ速やかに塗布される。ここで、多穴吐出ノズル部材１１にはその上面周縁部に環状壁３２が突起として設けられ、足踏みした際の足の裏面とノズル開口１４との間隔が保持されているので、塗布液の吐出がスムースかつなめらかになり、また多穴吐出ノズル部材１１には、多数（本実施形態では７箇所）のノズル開口１４が設けられているので、噴射された塗布液を一度の足踏み押圧動作によっても広範囲にわたって足の裏に容易に塗布することが可能になる。
【００５０】
なお、本発明は、上記実施形態に制限されることなく種々の変更が可能である。例えば、足踏みした際の足の裏面とノズル開口との間隔を保持する突起は、必ずしも環状壁である必要はなく、ノズル開口を囲んで設けられた、先端部分に丸みを備えた多数の棒状突起（例えば３ｍｍ以上、好ましくは５ｍｍ以上の長さ）等であっても良い。各ノズル開口による噴射角度は、例えば左右４５°の範囲に設定することもできる。内容液としては、例えば、殺菌剤、制汗剤、抗真菌剤、消炎剤、エタノール等の薬物や、香料等を挙げることができる。
【００５１】
また、エアゾール容器を足で踏んでも倒れないように安定した状態で床面等に設置させる手段としては、例えば、容器本体の底面の直径を５０ｍｍ以上とし、かつ直径を高さの２／３  以上、好ましくは高さの１．０倍以上として、容器本体を空にした場合における当該エアゾール容器の転倒角が３０度以上となるような重心点及び底面積を備えるように容器本体を設計する方法や、容器本体を足踏み箇所に固定する係止ネジや接着剤等又は容器底部に設けたゴム等の滑り止めによる固定手段を設ける方法、或いは予め足踏み箇所にエアゾール容器を収容する固定台等を固定しておき、この固定台等にエアゾール容器を交換可能に嵌合装着する方法等を挙げることができる。
【００５２】
さらに、本発明によれば、図６に示すように、多穴吐出ノズル部材１１の環状壁３２を、外側円周壁６６と内側波形壁６７とからなる二重構造の壁体であって、内側波形壁６７の外側凸部が外側円周壁６６の内側面と接合していると共に、内側波形壁６７の外側凹部と外側円周壁６６の内側面との間には略３角形断面の隙間７０が波の山毎に各々形成されたものとすることができる。この環状壁３２によれば、外側円周壁６６と内側波形壁６７とからなる二重構造を備え、またこれらの間に隙間７０が形成されていることにより、消音効果が高められる。また環状壁３２を発泡樹脂成形材料を用いて形成すれば、噴射音の消音効果をさらに増大できる。内側波形壁６７の内面に発泡ポリエチレン等の発泡材を貼り付けて消音効果を増大させても良い。さらに、環状壁３２の内面形状を例えば歯形等にすることによっても消音効果を高めることができる。なお、消音手段は、必ずしも環状壁によるものである必要はない。
【００５３】
そして、多穴吐出ノズル部材１１の上面には、円周方向のノズル開口１４の間に位置して、５ｍｍ程度の高さの突起８０を６箇所に設けておけば、６箇所の突起８０は、多穴吐出ノズル部材１１を足踏みして押圧した際に、足の裏面のツボに食い込んでこれを刺激し、指圧効果を発揮するとともに、塗布液の噴霧距離を確保する機能も果たすことになる。
【００５４】
吐出ノズル部材の上面周縁部分に沿って配置される環状壁は、例えば、円周壁を、吐出ノズル部材の上面周縁部分に沿って単独あるいは二重に配設して環状壁としても良い。また、外側円周壁と内側波形壁とをその一部において接合することなく離間して設けた環状壁や、外側円周壁と内側波形壁との間の略３角形断面の隙間を埋めて両者を一体化した環状壁を採用することもできる。さらに、環状壁の上端に例えば足の形状に沿った切欠きを有する天盤部材を接合して、この切欠きを足の裏面で覆い得る大きさの開口とすることもできる。さらにまた、環状壁３２の内壁を内側に傾斜させた状態で、多穴吐出ノズル部材１１の上面にすり付け（図７参照）、環状壁３２の内側を椀型形状とすることもできる。
【００５５】
一方、多穴吐出ノズル部材１１のストッパー突起５３が２段切り欠き溝６４の上段部３９に配置されるように付勢する回転付勢手段としては、上記実施形態の板バネ５１に換えて、例えば図７に示すように、コイルスプリング７１を使用することもできる。すなわち、多穴吐出ノズル部材１１のステム嵌合突起１５にコイルスプリング７１のコイル部７２を装着すると共に、一方の直線状端部７３はノズル部材１１の下面に設けられた一対の係止突起７４に挟み込まれるようにして係止され、他方の直線状端部７５は、袴部材６０の円形壁６１に形成された切り込み６２に挟み込まれるようにして係止される。
【００５６】
図７に示す回転付勢手段によっても、塗布時に回転させた多穴吐出ノズル部材１１をコイルスプリング７１の付勢力によって逆方向に回転させ、足を載置する前の、ストッパー突起５３が２段切り欠き溝６４の上段部３９の上方に位置して押し下げが制限される状態に、多穴吐出ノズル部材１１を自動的に復元することができる。
【００５７】
そして、Ｏリング２６を挟み込む凹部環状傾斜面２７や下部体環状傾斜面２８は、必ずしもノズル下部体の上面等による基準面に対して４５°の角度で傾斜して形成する必要はないが、２５〜６５゜の角度で傾斜させることが好ましく、３５〜５５゜の角度で傾斜させることが特に好ましい。傾斜角度が２５〜６５゜の範囲であると、厳密な寸法精度がない多穴吐出ノズル部材であっても、確実なシール性を確保でき、低コストで部品の製造が可能になる。
【００５８】
また、凹部環状傾斜面を内側に向けてテーパー状に傾斜させ、下部体環状傾斜面を外側に向けて傾斜させることもできる。さらに、これらの傾斜角度を一致させて平行に対向させる必要は必ずしもない。
【００５９】
本発明のエアゾ−ル容器によれば、多穴吐出ノズル部材は必ずしも円盤形状のものである必要はなく三角形、四角形等の多角形状でもよい。
【００６０】
【発明の効果】
本発明のエアゾール容器及びエアゾール容器の使用方法によれば、足踏み押圧力によって内容物を足の裏に直接吐出して塗布するので、腰をかがめたり座ったりする動作を必要とすることなく、薬物等の内容物を足の裏面や指の間に容易に塗布することができると共に、噴射された塗布液を一度の足踏み押圧動作によっても広範囲にわたって足の裏に容易に塗布することが可能になる。
【００６１】
また、本発明のエアゾ−ル容器は、前記吐出ノズル部材に消音手段を設けておけば、内容液を塗布する際の噴射音を、耳障りにならず且つ使用していることが認識されない程度まで容易に低減することができる。
【００６２】
さらに、本発明のエアゾール容器は、前記吐出ノズル部材が取り付けられる前記容器本体のステムを囲んで前記容器本体の周面に袴部材を嵌合し、前記吐出ノズル部材を、前記袴部材に対して回転することにより押圧可能となり、押圧を解除した際に押圧不可能となるようにすれば、ノズル部材の押圧を開放した際にノズル部材をロック状態に自動的に復元して誤作動を容易に防止することができる。
【００６３】
さらにまた、本発明のエアゾール容器は、前記吐出ノズル部材を、ノズル上部体の下面側に形成された係合凹部の内面にＯリングを介在させてノズル下部体を嵌め込むことにより、該ノズル下部体を前記ノズル上部体に密閉状態で装着固定して形成し、前記ノズル上部体と前記ノズル下部体とを密閉状態とするシール構造を、前記係合凹部おけるＯリングの当接面を外側又は内側に向けてテーパー状に傾斜する凹部環状傾斜面とすると共に、前記ノズル下部体におけるＯリングの当接面を内側又は外側に向けてテーパー状に傾斜して前記凹部環状傾斜面と対向配置される下部体環状傾斜面とし、前記凹部環状傾斜面と前記下部環状傾斜面との間に前記Ｏリングを圧縮しつつ挟み込むことにより構成すれば、シール性が確実に保持されてノズル上部体とノズル下部体とが一体化された吐出ノズル部材を備えることができる。
【図面の簡単な説明】
【図１】本発明の一実施形態に係るエアゾール容器を示す略示分解斜視図である。
【図２】本発明の一実施形態に係るエアゾール容器の構成を説明する要部断面図である。
【図３】エアゾール容器の多穴吐出ノズル部材の構成を説明する分解斜視図である。
【図４】（ａ）は、多穴吐出ノズル部材の構成を説明する断面図、（ｂ）は、（ａ）をＡ−Ａから視た底面図である。
【図５】（ａ）は、袴部材の構成を説明する平面図、（ｂ）は、（ａ）のＢ−Ｂに沿った断面図である。
【図６】多穴吐出ノズル部材に設けた他の消音手段を説明する斜視図である。
【図７】コイルスプリングによる回転付勢手段を説明する断面図である。
【符号の説明】
１０  エアゾール容器
１１  多穴吐出ノズル部材
１２  容器本体
１３  ステム
１４  ノズル開口
１５  ステム嵌合突起
１７  ノズル上部体
１８  ノズル下部体
２０  塗布液通路
２０ａ  横方向流通路
２０ｂ  縦方向流通路
２１  中央円形突部
２２  放射溝
２３  係合凹部
２４  シール構造
２５  係止突起
２６  Ｏリング
２７  凹部環状傾斜面
２８  下部体環状傾斜面
２９  スカート壁
３２  環状壁（突起）
３９  上段部（押圧制限部）
４０  下段部（押圧開放部）
４３  キャップ
５１  板バネ（回転付勢手段）
５３  ストッパー突起（突起部）
６０  袴部材
６１  円形壁
６２  切り込み
６３  円形溝
６４  ２段切り欠き溝（回転制限部）
７１  コイルスプリング（回転付勢手段）
【図１】
0003581062.tif 000002
【図２】
0003581062.tif 000003
【図３】
0003581062.tif 000004
【図４】
0003581062.tif 000005
【図５】
0003581062.tif 000006
【図６】
0003581062.tif 000007
【図７】
0003581062.tif 000008